(57)【要約】    【課題】  高画質及び複写速度向上を両立することができる画像形成装置及び画像形成方法、並びに画像形成プログラムを提供する。    【解決手段】  カラー複写機１００は、操作部状態をチェックした結果、画質優先モードが指定されたと判断した場合は、第１の画像形成モードに適する初期設定を行った後、カラーＬＭ画像処理、カラーＬＣ画像処理、カラーＭ画像処理、カラーＹ画像処理、カラーＣ画像処理、カラーＢｋ画像処理の順に各画像処理を実行することにより、６色の画像を展開する。一方、操作部状態をチェックした結果、速度優先モードが指定されたと判断した場合は、第２の画像形成モードに適する初期設定を行った後、カラーＭ画像処理、カラーＹ画像処理、カラーＣ画像処理、カラーＢｋ画像処理の順に各画像処理を実行することにより、４色の画像を展開する。【選択図】      図４
2006227541.tif 000002
【特許請求の範囲】
【請求項１】
４を超える整数Ｎ色を重ね合わせることによりカラー画像を形成する画像形成装置において、前記Ｎ色全てを重ね合わせることによりカラー画像を形成する第１の画像形成モードと、前記Ｎ色に含まれる４色を重ね合わせることによりカラー画像を形成する第２の画像形成モードとを有し、前記第１の画像形成モードと前記第２の画像形成モードとを選択する選択手段を備えることを特徴とする画像形成装置。
【請求項２】
前記Ｎ色は、イエロー、マゼンタ、シアン、ブラック、ライトマゼンタ、ライトシアンの６色であることを特徴とする請求項１記載の画像形成装置。
【請求項３】
前記Ｎ色に含まれる４色は、イエロー、マゼンタ、シアン、ブラックであることを特徴とする請求項１又は２記載の画像形成装置。
【請求項４】
前記カラー画像から前記Ｎ色のうち少なくとも１色の色情報を取得する色情報取得手段と、前記取得された色情報に基づいて前記Ｎ色から少なくとも１色を選択する他の選択手段とを備え、前記第２の画像形成モードにおいて、前記選択された少なくとも１色を含む４色を重ね合わせることによりカラー画像を形成することを特徴とする請求項１又は２記載の画像形成装置。
【請求項５】
前記他の選択手段は、前記Ｎ色に含まれる色相が近似する２色のうち少なくとも１色の色情報に基づいて、前記色相が近似する２色からいずれか１色を選択することを特徴とする請求項４記載の画像形成装置。
【請求項６】
前記他の選択手段は、マゼンタの色情報に基づいて、マゼンタ及びライトマゼンタからいずれか１色を選択することを特徴とする請求項５記載の画像形成装置。
【請求項７】
前記他の選択手段は、シアンの色情報に基づいて、シアン及びライトシアンからいずれか１色を選択することを特徴とする請求項５又は６記載の画像形成装置。
【請求項８】
前記色情報は色濃度に対する累積度数を示す累積ヒストグラム情報であることを特徴とする請求項４乃至７のいずれか１項に記載の画像形成装置。
【請求項９】
前記他の選択手段は、前記累積ヒストグラム情報における所定濃度に対する累積度数が閾値より高いか否かに応じて色を選択することを特徴とする請求項８記載の画像形成装置。
【請求項１０】
４を超える整数Ｎ色を重ね合わせることによりカラー画像を形成する画像形成方法において、前記Ｎ色全てを重ね合わせることによりカラー画像を形成する第１の画像形成モードと、前記Ｎ色に含まれる４色を重ね合わせることによりカラー画像を形成する第２の画像形成モードとを有し、前記第１の画像形成モードと前記第２の画像形成モードとを選択する選択ステップを備えることを特徴とする画像形成方法。
【請求項１１】
前記Ｎ色は、イエロー、マゼンタ、シアン、ブラック、ライトマゼンタ、ライトシアンの６色であることを特徴とする請求項１０記載の画像形成方法。
【請求項１２】
前記Ｎ色に含まれる４色は、イエロー、マゼンタ、シアン、ブラックであることを特徴とする請求項１０又は１１記載の画像形成方法。
【請求項１３】
前記カラー画像から前記Ｎ色のうち少なくとも１色の色情報を取得する色情報取得ステップと、前記取得された色情報に基づいて前記Ｎ色から少なくとも１色を選択する他の選択ステップとを備え、前記第２の画像形成ステップにおいて、前記選択された少なくとも１色を含む４色を重ね合わせることによりカラー画像を形成することを特徴とする請求項１０又は１１記載の画像形成方法。
【請求項１４】
前記他の選択ステップにおいて、前記Ｎ色に含まれる色相が近似する２色のうち少なくとも１色の色情報に基づいて、前記色相が近似する２色からいずれか１色を選択することを特徴とする請求項１３記載の画像形成方法。
【請求項１５】
前記他の選択ステップにおいて、マゼンタの色情報に基づいて、マゼンタ及びライトマゼンタからいずれか１色を選択することを特徴とする請求項１４記載の画像形成方法。
【請求項１６】
前記他の選択ステップにおいて、シアンの色情報に基づいて、シアン及びライトシアンからいずれか１色を選択することを特徴とする請求項１４又は１５記載の画像形成方法。
【請求項１７】
前記色情報は色濃度に対する累積度数を示す累積ヒストグラム情報であることを特徴とする請求項１３乃至１６のいずれか１項に記載の画像形成方法。
【請求項１８】
前記他の選択ステップにおいて、前記累積ヒストグラム情報における所定濃度に対する累積度数が閾値より高いか否かに応じて色を選択することを特徴とする請求項１７記載の画像形成方法。
【請求項１９】
４を超える整数Ｎ色を重ね合わせることによりカラー画像を形成する画像形成プログラムにおいて、前記Ｎ色全てを重ね合わせることによりカラー画像を形成する第１の画像形成モードと前記Ｎ色に含まれる４色を重ね合わせることによりカラー画像を形成する第２の画像形成モードとを選択する選択モジュールをコンピュータに実行させることを特徴とする画像形成プログラム。
【発明の詳細な説明】
【技術分野】
【０００１】
本発明は、画像形成装置及び画像形成方法、並びに画像形成プログラムに関する。
【背景技術】
【０００２】
従来、画像形成装置としてのカラー複写機において、減色法によるイエロー（Yellow、以下「Ｙ」という）、マゼンタ（Magenta、以下「Ｍ」という）、及びシアン（Cyan、以下「Ｃ」という）と、文字画像、トナー量の節約のためのブラック（Black、以下「Ｂｋ」という）との４色の重ね合わせによる画像形成が主流である。この４色の重ね合わせによる画像形成について、全色空間における温度、湿度等の条件の安定化を図るべく、淡色のトナーを使用して画像形成する技術（例えば、特許文献１乃至３参照）や、質感及び色域を広げて画像形成する技術（例えば、特許文献４乃至６参照）が開示されている。これらは、従来から使用されている４色（Ｙ、Ｍ、Ｃ、Ｂｋ）に所定色を加えたＮ（Ｎは４を超える整数）色の重ね合わせにより画像形成を行う技術である。
【特許文献１】特開平０８−１７１２５２号公報
【特許文献２】特開２０００−２９３００４号公報
【特許文献３】特開２０００−３４７４７６号公報
【特許文献４】特開２００２−２２９２９３号公報
【特許文献５】特開２００３−２０７９８０号公報
【特許文献６】特開２００３−１７３０６０号公報
【発明の開示】
【発明が解決しようとする課題】
【０００３】
しかしながら、Ｎ色の重ね合わせによりカラーの画像を形成するためには、Ｎ色の画像形成を並列に行うことができるハードウェアを採用する必要があり、コストがかかる。また、１色ずつの画像形成のみが可能なハードウェア、いわゆる１ドラム方式でＮ色の重ね合わせによる画像形成を行うためには、Ｎ回の画像形成を順次行う必要がある。よって、１ドラム方式で画像形成を行う場合、Ｎ色の重ね合わせによる画像形成は、４色の重ね合わせによる画像形成に対してＮ／４倍の時間を要するという問題があった。
【０００４】
本発明の目的は、高画質及び複写速度向上を両立することができる画像形成装置及び画像形成方法、並びに画像形成プログラム及び記憶媒体を提供することにある。
【課題を解決するための手段】
【０００５】
上記目的を達成するために、請求項１記載の画像形成装置は、４を超える整数Ｎ色を重ね合わせることによりカラー画像を形成する画像形成装置において、前記Ｎ色全てを重ね合わせることによりカラー画像を形成する第１の画像形成モードと、前記Ｎ色に含まれる４色を重ね合わせることによりカラー画像を形成する第２の画像形成モードとを有し、前記第１の画像形成モードと前記第２の画像形成モードとを選択する選択手段を備えることを特徴とする。
【０００６】
請求項１０記載の画像形成方法は、４を超える整数Ｎ色を重ね合わせることによりカラー画像を形成する画像形成方法において、前記Ｎ色全てを重ね合わせることによりカラー画像を形成する第１の画像形成モードと、前記Ｎ色に含まれる４色を重ね合わせることによりカラー画像を形成する第２の画像形成モードとを有し、前記第１の画像形成モードと前記第２の画像形成モードとを選択する選択ステップを備えることを特徴とする。
【０００７】
請求項１９記載の画像形成プログラムは、４を超える整数Ｎ色を重ね合わせることによりカラー画像を形成する画像形成プログラムにおいて、前記Ｎ色全てを重ね合わせることによりカラー画像を形成する第１の画像形成モードと前記Ｎ色に含まれる４色を重ね合わせることによりカラー画像を形成する第２の画像形成モードとを選択する選択モジュールをコンピュータに実行させることを特徴とする。
【発明の効果】
【０００８】
本発明によれば、４を超える整数Ｎ色全てを重ね合わせることによりカラー画像を形成する第１の画像形成モードと、Ｎ色に含まれる４色を重ね合わせることによりカラー画像を形成する第２の画像形成モードとを有するので、高画質及び複写速度向上を両立することができる。
【発明を実施するための最良の形態】
【０００９】
以下、本発明の実施の形態を図面を参照しながら説明する。
【００１０】
図１は、本発明の実施の形態に係る画像形成装置の構成を概略的に示す構成図である。
【００１１】
図１において、画像形成装置としてのカラー複写機１００は、後述する感光体９を１つのみ有する１ドラム系のカラー複写機１００であり、単色の複写を行うこともできる。
【００１２】
カラー複写機１００は、カラー画像読み取り装置（以下、「カラースキャナ」という）１と、カラー画像記録装置（以下、「カラープリンタ」という）２とを備える。
【００１３】
カラースキャナ１は、原稿載置台の上に載置された原稿３に光を照射する照射ランプ４と、原稿３からの反射光を反射するミラー５Ａ、５Ｂ、及び５Ｃから成るミラー群５と、ミラー５Ｃによって反射された光を集光するレンズ６と、レンズ６によって集光された光を結像するカラーセンサ７と、原稿３の彩度の有無を判定する色判定機能を有する画像処理部３０とを備える。
【００１４】
カラースキャナ１は、原稿３からの反射光が照射ランプ４、ミラー群５、及びレンズ６を介してカラーセンサ７に結像されることにより得られたカラー画像情報を、例えば、ブルー（Blue、以下「Ｂ」という）、グリーン（Green、以下「Ｇ」という）、レッド（Red、以下「Ｒ」という）の色分解光毎に読み取り、電気的な画像信号に変換する。このＢ、Ｇ、Ｒの色分解画像信号の強度レベル情報を、一旦、メモリに記憶する。
【００１５】
さらに、カラースキャナ１は、メモリに記憶されたＢ、Ｇ、Ｒの色分解画像信号の強度レベル情報を読み出し、この強度レベル情報に基づき、画像処理部３０によって色変換処理を行う。この色変換処理により、Ｂｋ、Ｃ、Ｍ、Ｙに加えて、低濃度のシアンであるライトシアン（Light Cyan、以下「ＬＣ」という）、及び低濃度のマゼンタであるライトマゼンタ（Light Magenta、以下「ＬＭ」という）から成るカラー画像データが得られる。
【００１６】
カラープリンタ２は、反時計方向（図１の矢印方向）に回転する画像担持体としての感光体９と、感光体９を帯電させる帯電器８と、カラースキャナ１が得たカラー画像データを光信号に変換して、原稿３の画像に対応した光書き込みを行って、感光体９に静電潜像を形成する書き込み光学ユニット１０と、感光体９をクリーニングする感光体クリーニングユニット（クリーニング前除電器を含む）４１と、回転体に保持されたＬＭ現像器１１ＬＭ、ＬＣ現像器１１ＬＣ、Ｍ現像器１１Ｍ、Ｃ現像器１１Ｃ、Ｙ現像器１１Ｙ、及びＢｋ現像器１１Ｂｋを有する回転現像器１１とを備える。なお、回転現像器１１は、所定の色トナーで画像形成するために、感光体９へ所定の色の現像器が接するように回転制御され、回転現像器１１を構成する各色の現像器は、静電潜像を現像するために現像剤の穂を感光体９の表面に接触させて回転する現像スリーブや、現像剤を汲み上げ・撹拌するために回転する現像パドル等で構成されている。
【００１７】
また、カラープリンタ２は、中間転写体としての中間転写ベルト３１と、第１の転写手段としての第１転写バイアスローラ４４と、駆動モータにより中間転写ベルト３１を駆動する駆動ローラ４３と、中間転写ベルト３１を張架する従動ローラ群４５,４６とを備える。
【００１８】
さらに、カラープリンタ２は、従動ローラ４３に対向する所定位置に設けられ、中間転写ベルト３１の表面をクリーニングするベルトクリーニングユニット４２と、中間転写ベルト３１の従動ローラ４６に対向する位置に配置され、中間転写ベルト３１に対して離接可能に駆動されることにより記録用紙１２に定着処理を施す第２転写バイアスローラ４０と、ローラ群により搬送された記録用紙１２を一時停止後、転写ベルト３１への転写が完了次第、所定のタイミングで、転写ガイド１３に沿う記録用紙１２の搬送を再スタートして、第２転写バイアスローラ４０を通過するように記録用紙１２を搬送する給紙ローラ２０と、記録用紙１２上に転写されたトナーを、融着、及び圧着して固定させる定着ローラ対２１と、トナーが固定された記録用紙１２が搬送される排紙トレー２６と、両面コピー動作において記録用紙１２の搬送路となる反転給紙ガイド１４とを備える。なお、ベルトクリーニングユニット４２は、プリントスタートから最終色のベルト転写が終了するまではベルト面から離間し、その後、所定のタイミングで接離機構によってベルト面に接触する。
【００１９】
カラー複写機１００は、用紙１枚の片面コピー動作において、画質を優先する第１の画像形成モードでは、ＬＭ、ＬＣ、Ｍ、Ｙ、Ｃ、Ｂｋ分の６回の転写動作をするのに対して、複写速度を優先する第２の画像形成モードでは、例えば、Ｍ、Ｙ、Ｃ、Ｂｋ分の４回の転写動作をする。また、白黒動作モードでは、Ｂｋ分の１回の転写動作をする。なお、第１の画像形成モード、第２の画像形成モードであっても、ある色成分の情報が全く画像に含まれていない場合はその色成分の転写動作は行われない。
【００２０】
両面コピー動作においては、ローラー群により、転写ガイド１３から、反転給紙ガイド１４へ搬送され、再度、給紙ローラー２０へ戻される。それ以降の転写動作は、片面コピー時と同様である。
【００２１】
図２は、図１の画像形成装置によって実行される主要動作処理の手順を示すフローチャートである。
【００２２】
図２において、カラー複写機１００は、電源投入後、ハード回路によってソフトウェアシーケンスをリセットして画像処理部３０及びシーケンサ（不図示）等を初期設定する（ステップＳ５０１）。初期設定完了後、ユーザ操作情報を受信するために、操作部状態をチェックし（ステップＳ５０２）、ネットワーク等からの画像情報をシリアルポートを介して受信するために、ポート状態をチェックし（ステップＳ５０３）、操作部状態及びポート状態を解析する（ステップＳ５０４）。この解析の結果、画像処理の必要がない（ジョブなし）と判断した場合は、ステップＳ５０２に戻り、操作部状態を再度チェックする。
【００２３】
また、上記操作部状態及びポート状態を解析した結果、画像処理の必要がある（ジョブあり）と判断した場合は、画像処理に必要なパラメータを準備すると共に適切な画像処理を選択して、選択された画像処理を開始し（ステップＳ５０５）、本処理を終了する。
【００２４】
この主要動作処理は、１つのジョブの処理中に新たなジョブの受付に応じて並列動作する。画像処理（ステップＳ５０５）の開始時に、例えば、セマフォ（不図示）のフラグを監視して、前回の主要動作処理における画像処理が終了したか否かを判別し、前回の主要動作処理における画像処理が終了した後に新たな画像処理を開始する。
【００２５】
図３は、図１の画像形成装置によって実行される第１の画像形成モードにおける画像処理の手順を示すフローチャートである。
【００２６】
図３において、カラー複写機１００は、操作部状態をチェックした結果（ステップＳ５０２）、画質優先モードが指定されたと判断した場合は、第１の画像形成モードに適する初期設定を行う（ステップＳ２０１）。その後、カラーＬＭ画像処理（ステップＳ２０２）、カラーＬＣ画像処理（ステップＳ２０３）、カラーＭ画像処理（ステップＳ２０４）、カラーＹ画像処理（ステップＳ２０５）、カラーＣ画像処理（ステップＳ２０６）、カラーＢｋ画像処理（ステップＳ２０７）の順に各画像処理を実行することにより、６色の画像を展開し、本処理を終了する。
【００２７】
図４は、図１の画像形成装置によって実行される第２の画像形成モードにおける画像処理の手順を示すフローチャートである。
【００２８】
図４において、カラー複写機１００は、操作部状態をチェックした結果（ステップＳ５０２）、速度優先モードが指定されたと判断した場合は、第２の画像形成モードに適する初期設定を行う（ステップＳ３０１）。その後、カラーＭ画像処理（ステップＳ３０２）、カラーＹ画像処理（ステップＳ３０３）、カラーＣ画像処理（ステップＳ３０４）、カラーＢｋ画像処理（ステップＳ３０５）の順に各画像処理を実行することにより、４色の画像を展開し、本処理を終了する。
【００２９】
図３及び図４の処理により、色再現性が向上した高画質を実現する画質優先モードと複写速度を重視した速度優先モードとを選択することにより、高画質及び複写速度向上を両立することができる。
【００３０】
図５は、図４の画像処理の変形例の手順を示すフローチャートである。
【００３１】
図５の処理の前提として、Ｂ、Ｇ、Ｒの色分解画像信号をメモリに記憶する際に、Ｂ、Ｇ、Ｒの色分解画像信号をＣ、Ｍの色分解画像信号に色変換処理する。このＣ、Ｍの色分解画像信号をハードウェアにより自動で統計処理して累積ヒストグラム情報を得て、得られた累積ヒストグラム情報をメモリに記憶している。なお、この累積ヒストグラム情報は画像全面における色分解画像信号レベルを統計処理することにより得られたものである。
【００３２】
図５において、カラー複写機１００は、操作部状態をチェックした結果（ステップＳ５０２）、速度優先モードが指定されたと判断した場合は、第２の画像形成モードに適する初期設定を行う（ステップＳ４０１）。その後、メモリに記憶された累積ヒストグラム情報をヒストグラム判定し（ステップＳ４０２）、ＬＭ，ＬＣ，Ｍ，Ｃの４色から２色ａ，ｂを選択し（ステップＳ４０３）、カラーａ画像処理（ステップＳ４０４）、カラーｂ画像処理（ステップＳ４０５）、カラーＹ画像処理（ステップＳ４０６）、カラーＢｋ画像処理（ステップＳ４０７）の順に各画像処理を実行することにより、４色の画像を展開し、本処理を終了する。
【００３３】
以下、図５におけるステップＳ４０２のヒストグラム判定を説明する。
【００３４】
図６は、図５におけるヒストグラム判定の対象となる累積ヒストグラム情報を示すグラフであり、（ａ）は第１の画像におけるＣの色の累積ヒストグラム情報を、（ｂ）は第１の画像におけるＭの色の累積ヒストグラム情報を、（ｃ）は第２の画像におけるＣの色の累積ヒストグラム情報を、（ｄ）は第２の画像におけるＭの色の累積ヒストグラム情報を示すグラフである。
【００３５】
図６において、横軸は濃度、縦軸は累積度数を示し、Ｄｍｉｎは色濃度の最小値を示し、ＤＣｍａｘはＣ濃度の最大値を示し、ＤＬＣｍａｘはＬＣ濃度の最大値を示し、ＤＭｍａｘはＭ濃度の最大値を示し、ＤＬＭｍａｘはＬＭ濃度の最大値を示す。
【００３６】
第１の画像について、ＬＣ濃度が最大値ＤＬＣｍａｘである場合の累積度数が基準値である９５％以下であるため（図６（ａ））、Ｃ濃度が平均的に高い画像であると判断する。その結果、４色（ＬＭ，ＬＣ，Ｍ，Ｃ）から選択された２色の一方（カラーｂ）をＣとする。また、ＬＭ濃度が最大値ＤＬＭｍａｘである場合の累積度数が基準値である９５％を超えているため（図６（ｂ））、Ｍ濃度が平均的に低い画像であると判断する。その結果、４色（ＬＭ，ＬＣ，Ｍ，Ｃ）から選択された２色の他方（カラーａ）をＬＭとする。
【００３７】
また、第２の画像について、ＬＣ濃度が最大値ＤＬＣｍａｘである場合の累積度数が基準値９５％を超えるため（図６（ｃ））、Ｃ濃度が平均的に低い画像であると判断して、４色（ＬＭ，ＬＣ，Ｍ，Ｃ）から選択された２色の一方（カラーｂ）をＬＣとし、また、ＬＭ濃度が最大値ＤＬＭｍａｘである場合の累積度数が基準値９５％を下回るため（図６（ｄ））、Ｍ濃度が平均的に高い画像であると判断する。その結果、４色（ＬＭ，ＬＣ，Ｍ，Ｃ）から選択された２色の他方（カラーａ）をＭとする。
【００３８】
図５の処理により、色分解画像信号レベルの累積ヒストグラム情報に基づいて、重ね合わせの４色（ＬＭ，ＬＣ，Ｍ，Ｃ）から２色を選択するので、複写速度を重視した速度優先モードでありながら、色再現性が向上した高画質を実現することができ、もって、高画質及び複写速度向上を両立することができる。
【００３９】
図５の処理では、統計情報として色分解画像信号レベルの累積ヒストグラムを用いているが、これに限定されるものではなく、検出されたピーク値や、センサ等によって読み取られた濃度等を用いてもよい。
【００４０】
図５の処理では、画像全面における色分解画像信号レベルを統計処理することにより累積ヒストグラム情報を得ているが、これに限定されるものではなく、画像において所定間隔をもってサンプリングした色分解画像信号レベルを統計処理することにより累積ヒストグラム情報を得てもよい。
【００４１】
本実施の形態では、Ｙ、Ｍ、Ｃ、及びＢｋと、淡色のＬＭ及びＬＣとを使用しているが、これに限定されるものではなく、色相の異なる色を使用してもよい。
【００４２】
また、本発明の目的は、上述した実施形態の機能を実現するソフトウェアのプログラムコードを記録した記憶媒体を、システム又は装置に供給し、そのシステム或いは装置のコンピュータ（又はＣＰＵやＭＰＵ等）が記憶媒体に格納されたプログラムコードを読み出して実行することによっても達成される。
【００４３】
この場合、記憶媒体から読み出されたプログラムコード自体が前述した実施の形態の機能を実現することになり、そのプログラムコード及び該プログラムコードを記憶した記憶媒体は本発明を構成することになる。
【００４４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００４５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００４６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００４７】
【図１】本発明の実施の形態に係る画像形成装置の構成を概略的に示す構成図である。
【図２】図１の画像形成装置によって実行される主要動作処理の手順を示すフローチャートである。
【図３】図１の画像形成装置によって実行される第１の画像形成モードにおける画像処理の手順を示すフローチャートである。
【図４】図１の画像形成装置によって実行される第２の画像形成モードにおける画像処理の手順を示すフローチャートである。
【図５】図４の画像処理の変形例の手順を示すフローチャートである。
【図６】図５におけるヒストグラム判定の対象となる累積ヒストグラム情報を示すグラフであり、（ａ）は第１の画像におけるＣの色の累積ヒストグラム情報を、（ｂ）は第１の画像におけるＭの色の累積ヒストグラム情報を、（ｃ）は第２の画像におけるＣの色の累積ヒストグラム情報を、（ｄ）は第２の画像におけるＭの色の累積ヒストグラム情報を示すグラフである。
【符号の説明】
【００４８】
１  カラースキャナ
２  カラープリンタ
３  原稿
７  カラーセンサ
９  感光体
３０  画像処理部
１００  カラー複写機
【図１】
2006227541.tif 000003
【図２】
2006227541.tif 000004
【図３】
2006227541.tif 000005
【図４】
2006227541.tif 000006
【図５】
2006227541.tif 000007
【図６】
2006227541.tif 000008